(57)【特許請求の範囲】
【請求項１】
遊技に係る所定のデータが格納された電子部品が内蔵されたケース体と、
前記ケース体が搭載された制御基板と、
前記ケース体が突出する開口部および基板側貫通孔が形成され、前記ケース体が搭載された前記制御基板を覆う基板カバーと、
一端が前記基板カバーに回動可能に軸支されるとともに、他端には前記基板側貫通孔と対向するようにしてケース側貫通孔が形成され、前記開口部から突出した前記ケース体の少なくとも一部を覆うケースカバーとを備え、
前記ケースカバーは、前記ケース側貫通孔と前記基板側貫通孔とに封止部材を挿通することにより前記基板カバーに係合可能となっている、
ことを特徴とする遊技機。
【請求項２】
前記ケースカバーは、軸支された側を下向きにして鉛直方向に前記基板カバーに取り付けられた、
ことを特徴とする請求項１に記載の遊技機。
【請求項３】
前記ケースカバーは、前記基板カバーに形成された開口部の内周壁に当接するように突出して形成された環状突起部を備えた、
ことを特徴とする請求項１または２に記載の遊技機。
【請求項４】
前記ケースカバーは、前記基板カバーに形成された開口部の外周縁に当接するように突出して形成されたフランジ部を備えた、
ことを特徴とする請求項１〜３の何れか一項に記載の遊技機。
【請求項５】
前記封止部材は、係止爪を内周に備えた挿通孔を一方端に有するとともに、前記係止爪と係合して前記挿通孔に挿通された封止部材の挿通方向への移動を許容する一方でその反対方向への移動を阻止する複数の係止突起が所定の長さにわたって形成された、
ことを特徴とする請求項１〜４の何れか一項に記載の遊技機。
【発明の詳細な説明】
【技術分野】
【０００１】
本発明は、遊技機に関し、特に遊技に係る所定のデータが格納された電子部品等が内蔵されたケース体を搭載する制御基板を具備するパチンコ遊技機やスロットマシン等の遊技機に適用して有効な技術に関するものである。
【背景技術】
【０００２】
従来、遊技に係る所定のデータ（プログラムや画像データ等）を記憶する記憶素子（ＲＯＭ）が実装された制御基板が収容された制御基板ケースを具備する遊技機が知られている。また、上述のＲＯＭを容易に交換することができるように、ＲＯＭが内蔵されたケース体である記憶素子ケース（ＲＯＭカートリッジ）がコネクタ部を介して制御基板に取り付けられた遊技機も知られている（例えば、特許文献１参照）。
【特許文献１】特開２００５−１５２２６６号公報
【発明の開示】
【発明が解決しようとする課題】
【０００３】
しかしながら、上述の遊技機は、ケース体であるＲＯＭカートリッジのみを交換する際においても、制御基板を覆う基板カバーをわざわざ取り外さねばならない。これでは、ＲＯＭカートリッジの交換が困難であるとともに、非効率的である。
【０００４】
そこで、本発明は、制御基板に搭載されたケース体の交換が容易な遊技機を提供することを目的とする。
【課題を解決するための手段】
【０００５】
上記課題を解決するため、請求項１に記載の本発明の遊技機は、遊技に係る所定のデータが格納された電子部品（記憶素子、ＲＯＭなど）が内蔵されたケース体（ＲＯＭカートリッジ４６）と、ケース体が搭載された制御基板（演出制御基板４５）と、ケース体が突出する開口部（開口部４７ｂ）および基板側貫通孔（基板側貫通孔４７ｄ）が形成され、ケース体が搭載された制御基板を覆う基板カバー（基板カバー４７）と、一端が基板カバーに回動可能に軸支されるとともに、他端には基板側貫通孔と対向するようにしてケース側貫通孔（ケース側貫通孔４８ａａ）が形成され、開口部から突出したケース体の少なくとも一部を覆うケースカバー（ケースカバー４８）とを備え、基板側貫通孔とケース側貫通孔とは、封止部材（純正バンド６０）が挿通可能となっていることを特徴とする。
【０００６】
本構成によれば、ケース体は、基板カバーの開口部から突出しており、一方、当該開口部から突出したケース体を覆うケースカバーは、一端が基板カバーに回動可能に軸支され、一方、他端にはケース側貫通孔が形成されている。そして、ケース側貫通孔と基板側貫通孔とに封止部材を挿通することにより、ケースカバーを基板カバーに係合させることができるようになっている。これによれば、ケースカバーを基板カバーにより確実に取り付けることができ、制御基板に搭載されたケース体の保護をより確実に行うことができる。
【０００７】
また、本発明によれば、封止部材を取り外すと、ケースカバーと基板カバーとの係合が解除されるため、当該ケースカバーを回動させることで、ケース体を開放することができるようになっている。すなわち、ケースカバーに覆われたケース体の開放は、上記封止部材を取り外すことで行うことができるので、制御基板を覆う基板カバーをわざわざ取り外すことなくケース体を交換することができ、制御基板に搭載されたケース体の交換を効率的且つ容易に行うことが可能となる。
【０００８】
請求項２に記載の本発明は、請求項１に記載の発明の構成に加えて、ケースカバーは、軸支された側を下向きにして鉛直方向に基板カバーに取り付けられたことを特徴とする。
【０００９】
このように、ケースカバーは、軸支された側を下向きにして鉛直方向に基板カバーに取り付けられているので、基板カバーに係合する側は必然的に上方に位置するようになる。この場合、基板カバーとケースカバーとの係合を解いたとき、ケースカバーは、自重によって自動的に回動してケース体を開放する。これによれば、制御基板に搭載されたケース体の交換がより容易となる。また、基板カバーとケースカバーとの係合が解かれているときには、ケースカバーは、上記自重によりケース体を開放したままとなるので、ケースカバーと基板カバーとの係合がなされていないにも関わらず、既に係合がなされているものと勘違いしてしまう虞がない。これにより、メンテナンス時等にケースカバーを閉め忘れてしまうことを防止することが可能となる。
【００１０】
請求項３に記載の本発明は、請求項１または２に記載の発明の構成に加えて、ケースカバーは、基板カバーに形成された開口部の内周壁に当接するように突出して形成された環状突起部（環状突起部４８ｃ）を備えたことを特徴とする。
【００１１】
本構成によれば、ケースカバーの環状突起部を、基板カバーに形成された開口部の内周壁に当接させることができるので、ケースカバーの基板カバーへの取り付けをより確実に行うことが可能となる。これにより、制御基板に搭載されたケース体の保護をより確実に行うことができる。
【００１２】
請求項４に記載の本発明は、請求項１〜３の何れか一項に記載の発明の構成に加えて、ケースカバーは、基板カバーに形成された開口部の外周縁に当接するように突出して形成されたフランジ部（フランジ部４８ｄ）を備えたことを特徴とする。
【００１３】
本構成によれば、ケースカバーは、基板カバーに形成された開口部の外周縁に当接するフランジ部により、当該開口部方向への移動が規制されるようになっている。これにより、ケースカバーが開口部に嵌って取り難くなってしまうことを防ぐことができ、制御基板に搭載されたケース体の交換を円滑に行うことが可能となる。
【００１４】
請求項５に記載の本発明は、請求項１〜３の何れか一項に記載の発明の構成に加えて、封止部材は、係止爪（係止爪６２）を内周に備えた挿通孔（挿通孔６１）を一方端に有するとともに、係止爪と係合して挿通孔に挿通された封止部材の挿通方向（矢印Ｙ方向）への移動を許容する一方でその反対方向への移動を阻止する複数の係止突起（係止突起６０ａ）が所定の長さにわたって形成されたことを特徴とする。
【００１５】
本構成によれば、ケース側貫通孔と基板側貫通孔とに封止部材の端部を挿通した後に、当該端部を、封止部材の一方端に形成された挿通孔に挿通させることにより、ケースカバーを基板カバーに係合させることができるようになっている。
【００１６】
また、封止部材には、挿通方向への移動を許容する一方でその反対方向への移動を阻止する複数の係止突起が所定の長さにわたって形成されているため、挿通孔に挿通された端部は、挿通方向とは反対方向への移動が阻止される。そのため、一度上記係合を行うと、封止部材を切断しない限りは解除することができない。これによれば、ケースカバーの係合が不正の目的で解除された場合等には、封止部材の切断面が痕跡として残るため、不正を発見することが容易となり、不正の防止を図ることが可能となる。
【発明の効果】
【００１７】
本発明によれば以下の効果を奏することができる。
【００１８】
すなわち、本発明によれば、制御基板に搭載されたケース体の交換を容易に行うことができる。
【発明を実施するための最良の形態】
【００１９】
以下、本発明を実施するための最良の形態を、図面を参照しつつさらに具体的に説明する。ここで、添付図面において同一の部材には同一の符号を付しており、また、重複した説明は省略されている。なお、ここでの説明は本発明が実施される最良の形態であることから、本発明は当該形態に限定されるものではない。
【００２０】
（実施の形態１）
【００２１】
図１は実施の形態１に係る遊技機を示す斜視図、図２は図１の遊技機の本体枠の背面側を示す説明図、図３は実施の形態１に係る制御基板ケースの分解斜視図、図４は図３の制御基板ケースにＲＯＭカートリッジが取り付けられた状態を示す説明図、図５はＲＯＭカートリッジがケースカバーに覆われた状態を示す説明図、図６はＲＯＭカートリッジがケースカバーに覆われた状態を示す斜視図、図７は図６に係る制御基板ケースをＡ方向から見た側面図、図８は実施の形態１に係る純正バンドの斜視図、図９は図８（ｂ）の挿通孔のＶ−Ｖ線に沿った断面図、図１０は実施の形態１に係るケースカバーを示す斜視図、図１１は実施の形態１に係るケースカバーの裏面を示す斜視図、図１２は図６に係る制御基板ケースをＣ方向から見た断面図、図１３は実施の形態２に係る遊技機の外観斜視図、図１４は図１３のパチスロ機における扉体の背面側を示す正面図である。
【００２２】
図１に示すように、パチンコ遊技機（遊技機）１は、遊技盤２ａが装着された本体枠３ａがヒンジを介してベース枠３ｂに回動可能に取り付けられ、これら本体枠３ａおよびベース枠３ｂで遊技機本体３が構成されている。そして、このような遊技機本体３に対して、遊技盤２ａを視認可能に被うガラス扉４、およびガラス扉４の下側に位置する皿ユニット５が取り付けられている。これらガラス扉４および皿ユニット５は、その一端が遊技機本体３に回動可能に軸支されており、他端が遊技機本体３に係合するようになっている。
【００２３】
また、本体枠３ａの裏面側には液晶ユニット４０が備えられている。また、液晶ユニット４０には、特別図柄（または装飾図柄）および所定の演出画像（リーチ演出画像等）が表示される。本実施の形態において、液晶ユニット４０は、遊技盤２ａを通して視認可能になっている。
【００２４】
図１において、遊技盤２ａの下方には、前述のように皿ユニット５が配置されている。皿ユニット５には、払い出された遊技球および遊技領域に打ち込まれる遊技球が貯留される上皿５ａが上部に配置され、払い出しにより上皿５ａからオーバーフローした遊技球が貯留される下皿５ｂが下部に配置されている。また、皿ユニット５の右側には、レール６を介して遊技盤２ａの遊技領域へ遊技球を打ち込む際に回動操作される発射ハンドル７が設けられている。さらに、遊技終了時などにおいて上皿５ａに貯留された遊技球を下皿５ｂに移動させて取り出す場合に操作されるシャッタレバー１０が設けられている。
【００２５】
なお、ガラス扉４の上部の左右には、スピーカ８ａ，８ｂがそれぞれ配置されている。
【００２６】
次に、図２を用いて本体枠３ａの背面側の構成について説明する。
【００２７】
図２は、本体枠３ａの背面側を示す説明図である。
【００２８】
同図に示すように、本体枠３ａの背面には、遊技機１の動作を実現するためのさまざまな電子部品や電子部品等を実装した基板等が搭載されている。
【００２９】
例えば、本体枠３ａの背面中央には、予め設定されたプログラムに従ってパチンコ機１の遊技動作を行うメインＣＰＵ（超小型演算処理装置）等を実装する主制御基板１００が、本体枠３ａの背面の中央よりやや上右側にはＡＣ電源の取り込みや基板間の信号の中継を行う枠中継基板１３０が、本体枠３ａの背面の中央よりやや下左側には各電子部品が動作するために必要な電圧の電源を生成する電源基板１５０が、本体枠３ａの背面の中央よりやや下右側には、賞球や貸球等を皿ユニット５に向けて払出す払出装置（図示せず）を駆動制御する払出制御基板１７０がそれぞれ搭載されている。なお、本体枠３ａの背面の上部には遊技球が貯留される貯留タンク４００が配置されている。
【００３０】
そして、本発明の要部であり演出制御基板４５を備える制御基板ケース５０（詳しくは後述する。）は、本体枠３ａの背面の中央よりやや上左側、すなわち、主制御基板１００の上方に搭載されている。但し、これらＣＰＵなどの電子部品を実装した主制御基板１００などの搭載位置は一例に過ぎず、また、本発明の遊技機に搭載される電子部品や基板などは列挙されたものに限定されない。つまり、電子部品としては、他にもソレノイドなど、電力の供給を受けて動作する種々の部品を適用することが可能であり、また主制御基板１００を、本発明の要部である制御基板ケース５０内に含めるなど、基板としての構成には様々な態様が考えられる。
【００３１】
次に、図３〜図６を用いて本体枠３ａの背面側に搭載されている制御基板ケースの構成について説明する。
【００３２】
図３は実施の形態１に係る制御基板ケースの分解斜視図である。
【００３３】
本実施の形態の制御基板ケース５０は、演出制御基板４５と、演出制御基板４５の表面部４５ａを覆う基板カバー４７と、演出制御基板４５の裏面側を覆う基板シート４４とを備えている。
【００３４】
演出制御基板４５の表面部４５ａには、特別図柄等および所定の演出画像を液晶ユニット４０に表示させるＣＰＵが実装されている。また、演出制御基板４５の表面部４５ａには、特別図柄等および所定の演出画像に係る画像データが格納された電子部品（記憶素子、ＲＯＭ）が内蔵されたＲＯＭカートリッジ（ケース体）４６が、コネクタ部（図示せず）を介して着脱可能に取り付けられている。
【００３５】
ここで、基板カバー４７は、基板カバー４７の４箇所の隅部がそれぞれ演出制御基板４５の表面部４５ａの４箇所の隅部に例えばネジ等で固定されて取り付けられるようになっている。これにより、基板カバー４７は、演出制御基板４５の表面部４５ａを覆っている。
【００３６】
また、基板カバー４７には、ＲＯＭカートリッジ４６の一部が突出する略長方形の開口部４７ｂが形成されている（図３および図４参照）。そのため、ＲＯＭカートリッジ４６および基板カバー４７が演出制御基板４５の表面部４５ａに取り付けられると、ＲＯＭカートリッジ４６の一部が当該開口部４７ｂから突出するようになっている（図４参照）。
【００３７】
また、図３および図４において、開口部４７ｂの長手方向の一端部の近傍には、後述する純正バンド（封止部材）６０を挿通させることが可能な基板側貫通孔４７ｃが形成された突起４７ｄが突出して配置されている。そして、突起４７ｄが近傍に配置された端部に対向する端部には、軸受け部４７ｅが配置されている。本実施の形態においては、当該軸受け部４７ｅと、後述するケースカバー４８の軸部４８ｅとが、回動可能に係止（軸支）されるようになっている（図５〜図７参照）。なお、本実施の形態において、制御基板ケース５０が本体枠３ａの背面側に搭載された場合、軸受け部４７ｅは、基板側貫通孔４７ｃが形成された突起４７ｄの鉛直方向に位置するようになる（図２参照）。この場合、後述するケースカバー４８を、軸部４８ｅが軸受け部４７ｅに係止（軸支）された側を下向きにして鉛直方向に基板カバー４７に取り付けることができる。
【００３８】
ここで、本実施の形態の演出制御基板４５は、液晶ユニット４０の画像表示制御や、遊技機１の各所に配置されているランプ・ＬＥＤ（図示せず）等の発光表示制御、スピーカ８ａ，８ｂからの音出力制御を実行する。
【００３９】
なお、ＲＯＭカートリッジ４６は、演出制御基板４５の表面部４５ａに対して平行な断面が略長方形となっている。
【００４０】
また、本実施の形態において、ＲＯＭカートリッジ４６の演出制御基板４５への着脱は、基板カバー４７の開口部４７ｂを介して行うことが可能となっている。つまり、基板カバー４７を取り外さなくとも、上記開口部４７ｂを利用することでＲＯＭカートリッジ４６の交換を行うことができる。
【００４１】
また、基板カバー４７には、コネクタ部４５ｂの形状に合わせて切り欠きが形成されているため（図３〜図６参照）、基板カバー４７が演出制御基板４５の表面部４５ａに取り付けられると、図４および図６に示すように、コネクタ部４５ｂが露出するようになっている。
【００４２】
次に、図８および図９を用いて純正バンド６０の構造について説明する。
【００４３】
図８は実施の形態１に係る純正バンドの斜視図、図９は図８（ｂ）の挿通孔のＶ−Ｖ線に沿った断面図である。
【００４４】
純正バンド（封止部材）６０は、屈曲自在に帯状に延びて形成されており、そして所定の長さに渡って、斜面と垂直面とが連続した鋸歯状の係止突起６０ａが形成されている。ここで、係止突起６０ａは、挿通孔６１方向に向けて傾斜しており（図８参照）、後述する係止爪６２に係合可能となっている（図９参照）。
【００４５】
そして一方の端部には、他端を図９に示す矢印Ｙ方向（挿通方向）に挿通させることが可能な挿通孔６１が形成されており、当該挿通孔６１の内周には、係止突起６０ａと係合する係止爪６２（図９）が突出して備えられている。
【００４６】
ここで、係止爪６２は、図９に示すように、挿通孔６１の挿通方向（矢印Ｙ方向）に向けて傾斜した案内斜面６２ａと、矢印Ｙ方向とは反対方向へ係止突起６０ａが移動することを阻止する垂直面６２ｂとから構成されている（図９参照）。また、係止爪６２は、挿通方向（矢印Ｙ方向）へ外力が加えられている間、当該矢印Ｙ方向へ屈曲するようになっている。
【００４７】
このように、係止突起６０ａおよび係止爪６２は、上述したような構成となっているため、これら係止突起６０ａおよび係止爪６２により、挿通孔６１に挿通された純正バンド６０の挿通方向（矢印Ｙ方向）への移動が許容される一方でその反対方向への移動が阻止される。
【００４８】
例えば、純正バンド６０の端部を、図８（ｂ）に示すように挿通孔６１に挿通させた場合、係止爪６２は、鋸歯状の係止突起６０ａから加えられる外力によって矢印Ｙ方向へと屈曲する。これによって、純正バンド６０の端部を矢印Ｙ方向へ移動させることができる。一方、純正バンド６０の端部を挿通孔６１に挿通させると、係止突起６０ａは、図９に示すように係止爪６２と係合するようになるため、純正バンド６０を、矢印Ｙ方向とは反対方向へ移動させることができなくなる。つまり、純正バンド６０は、その端部を一度挿通孔６１に挿通させてしまうと、もはや挿通孔６１から抜き出すことはできない構成になっている。そのため、軸受け部４７ｅに軸支されたケースカバー４８のケース側貫通孔４８ａａと、基板側貫通孔４７ｄとに純正バンド６０の端部を挿通させた後に、当該端部を、挿通孔６１に挿通させることにより、ケースカバー４８を基板カバー４７に係合させて取り付けることができるとともに、その係合が解除されないように封印することができる（図５および図６参照）。
【００４９】
なお、本実施の形態における純正バンド６０は、不正に交換されることを防ぐために、メーカーの純正品、もしくは市販されていない製品であることが望ましい。
【００５０】
また、本実施の形態においては、純正バンド６０のユニーク性を高めるために、係止突起６０ａが形成された面とは反対側の面に特有の識別情報が刻印されている（例えば、図８においては、識別情報として「０１２３」が刻印されている）。但し、本発明はこれに限られず、当該識別情報は、純正バンド６０に印刷されるようになっていてもよいし、「０１２３」等の数字に限られず、文字や図柄等であってももちろんよい。
【００５１】
さらに、本実施の形態では、封止部材としてバンド（純正バンド６０）を用いていたが、本発明はこれに限られず、当該封止部材は、屈曲自在に帯状に延びて形成されていれば、バンド以外の部材であってもよい。
【００５２】
次に、図１０および図１１を用いてケースカバー４８の構造について説明する。図１０は実施の形態１に係るケースカバーを示す斜視図である。
【００５３】
ケースカバー４８は、同図に示すように、略四角形の形状をしており、その一端に、軸受け部４７ｅに回動可能に係止（軸支）される軸部４８ｅが形成されている。また、軸部４８ｅが形成された端部に対向する端部には突出板４８ａが突出して設けられ、当該突出板４８ａに、純正バンド６０を挿通させることが可能なケース側貫通孔４８ａａが形成されている。
【００５４】
また、このケース側貫通孔４８ａａは、基板側貫通孔４７ｄと対向するようになっているため、ケース側貫通孔４８ａａと基板側貫通孔４７ｄとに純正バンド６０を挿通させることにより、ケースカバー４８を基板カバー４７に係合させることができるようになっている。本実施の形態においては、軸部４８ｅを軸受け部４７ｅに係止（軸支）させ、そして、ケース側貫通孔４８ａａと基板側貫通孔４７ｄとに純正バンド６０を挿通させて係合させることにより、ケースカバー４８を基板カバー４７の表面部４７ａに取り付けることができ、基板カバー４７の開口部４７ｂから突出したＲＯＭカートリッジ４６の少なくとも一部を、当該ケースカバー４８にて覆うことができる（図５および図６参照）。
【００５５】
また、本実施の形態において、ケースカバー４８は、図２に示すように、軸部４８ｅが軸受け部４７ｅに係止（軸支）された側を下向きにして鉛直方向に基板カバー４７に取り付けられているため、基板カバー４７に係合する側（ケース側貫通孔４８ａａが形成された側）は必然的に上方に位置するようになる。この場合、基板カバー４７とケースカバー４８との係合を解いたとき、ケースカバー４８は、自重によって自動的に回動してＲＯＭカートリッジ４６を開放する（図７参照）。これによれば、演出制御基板４５に搭載されたＲＯＭカートリッジ４６の交換がより容易となる。
【００５６】
さらに、ケースカバー４８の外周には、外方に向かって突出して形成されたフランジ部４８ｄが備えられている（図１０および図１１参照）。そのため、ケースカバー４８を基板カバー４７の表面部４７ａに取り付ける場合、当該フランジ部４８ｄが、基板カバー４７の開口部４７ｂの外周縁４７ｇに当接するようになる（図１２の断面図参照）。この場合、当該フランジ部４８ｄによって、基板カバー４７の開口部４７ｂ方向への移動が規制され、ケースカバー４８が基板カバー４７の開口部４７ｂに嵌って取り難くなってしまうことを防ぐことができる。
【００５７】
図１１は実施の形態１に係るケースカバーの裏面を示す斜視図である。
【００５８】
同図に示すように、ケースカバー４８の裏面には、ＲＯＭカートリッジ４６を覆うための内部空間４８ｇが形成されている。
【００５９】
そして、内部空間４８ｇを形成する相互に対向した側壁に、ＲＯＭカートリッジ４６の移動を規制するための規制部４８ｆが３つずつ、合計６つ形成されている。そして、当該規制部４８ｆがＲＯＭカートリッジ４６を挟むようにして配置されていることにより、ＲＯＭカートリッジ４６の移動を規制できるようになっている（図１２の断面図参照）。
【００６０】
ここで、本実施の形態において、規制部４８ｆとＲＯＭカートリッジ４６とは、非接触の関係となっているが、これに限られず、規制部４８ｆがＲＯＭカートリッジ４６の側面に接触するようになっていてもよい。
【００６１】
また、図１２に示すように、当該規制部４８ｆは、基板カバー４７の開口部４７ｂ近傍から対向した側壁方向に向けて傾斜して延びている。
【００６２】
この傾斜により、ＲＯＭカートリッジ４６が内部空間４８ｇに入り込む動作を円滑にすることができる。また上記規制部４８ｆの傾斜によりＲＯＭカートリッジ４６の幅方向への移動が規制されるため、ＲＯＭカートリッジ４６が自然と正しい位置に調整されるようになる。
【００６３】
また、図１１に示すように、ケースカバー４８には、内部空間４８ｇの内周壁から上下方向に向かって突出して形成された環状突起部４８ｃが備えられている。そのため、ケースカバー４８を基板カバー４７の表面部４７ａに取り付ける場合、当該環状突起部４８ｃが、開口部４７ｂの内周壁４７ｈに当接するようになる（図１２の断面図参照）。この場合、当該環状突起部４８ｃによってケースカバー４８の横方向および鉛直方向への移動を規制することができ、当該ケースカバー４８の基板カバー４７への取り付けをより確実に行うことができる。
【００６４】
ケースカバー４８は、上記のような構成となっているため、上述したように基板カバー４７の表面部４７ａに取り付けることにより、ＲＯＭカートリッジ４６を覆うことが可能となっている（図１２の断面図参照）。
【００６５】
また、本実施の形態において、ケースカバー４８は、６つの規制部４８ｆを有しているが、これに限られず、５つ以下であってもよいし、７つ以上の規制部４８ｆを有していてもよい。
【００６６】
以上、本発明の実施の形態を説明したが、これは本発明を具体的に例示したに過ぎず、特に本発明を限定するものではない。
【００６７】
また、本実施の形態においては、ケースカバー４８は、記憶素子（ＲＯＭ）が内蔵されたＲＯＭカートリッジ４６の移動を規制することにより、当該ＲＯＭカートリッジ４６およびＲＯＭカートリッジ４６を演出制御基板４５に取り付けるためのコネクタ部を保護しているが、これに限られず、ケースカバー４８は、ＲＯＭカートリッジ４６以外の電子部品の移動を規制することにより当該電子部品を保護してもよい。例えば、演出制御基板４５に実装された制御素子（ＣＰＵ等）の移動を規制することにより当該制御素子（ＣＰＵ等）を保護するようにしてもよい。
【００６８】
また、本実施の形態において、演出制御基板４５には、特別図柄等および所定の演出画像を液晶ユニット４０に表示させるＣＰＵが実装されているが、これに限られず、実装されていなくともよいし、インターフェース等の他の電子部品が実装されるようにしてもよい。
【００６９】
なお、本実施の形態において、ＲＯＭカートリッジ４６は、特別図柄等や所定の演出画像に係る画像データが記憶されたＲＯＭを内蔵しているが、これに限定されるものではなく、遊技に係る所定のプログラム等が格納されたＲＯＭを内蔵していてもよい。
【００７０】
さらに、本実施の形態において、ケースカバー４８を取り付け可能な基板カバー４７は、前述の演出制御基板４５を覆うものとして説明したが、これに限定されるものではない。例えば、パチンコ機１の遊技動作を行うメインＣＰＵ（超小型演算処理装置）等を実装する主制御基板１００等を覆うものであってもよい。
【００７１】
また、本実施の形態において、基板カバー４７には、一つのケースカバー４８が取り付けられるようになっており、当該ケースカバー４８は、一つのＲＯＭカートリッジ４６の移動を規制しているが、これに限られず、基板カバー４７に複数のケースカバー４８を取り付け可能にすることにより、複数のＲＯＭカートリッジ４６の移動を規制できるようにしてもよい。また、一つのケースカバー４８で複数のＲＯＭカートリッジ４６を覆うことにより、複数のＲＯＭカートリッジ４６の移動を規制できるようにしてもよい。
【００７２】
このように、本実施の形態によれば、基板カバー４７の表面部４７ａに取り付けられたケースカバー４８が、ＲＯＭカートリッジ４６を覆うとともに当該ＲＯＭカートリッジ４６の移動を規制するので、ＲＯＭカートリッジ４６に加えられる振動等によって、ＲＯＭカートリッジ４６が演出制御基板４５から外れることを防止できるとももに、ＲＯＭカートリッジ４６を演出制御基板４５に取り付けるためのコネクタ部が損傷することを防止することができる。さらに、基板カバー４７の表面部４７ａは、ＲＯＭカートリッジ４６の移動を規制するケースカバー４８の突出端よりも後退しているため、その分、空きスペースを確保することができる。
【００７３】
また、本実施の形態によれば、基板カバー４７の表面部４７ａの空きスペースに電子部品を搭載した基板ケース等を配置してもよい。この場合、遊技機内部のスペース効率を高めることができ、結果として、遊技機１をよりコンパクトにすることが可能となる。
【００７４】
以上説明したように、本実施の形態によれば、ＲＯＭカートリッジ（ケース体）４６は、基板カバー４７の開口部４７ｂから突出しており、一方、当該開口部４７ｂから突出したＲＯＭカートリッジ４６を覆うケースカバー４８は、一端が基板カバー４７に回動可能に軸支され、一方、他端にはケース側貫通孔４８ａａが形成されている。そして、ケース側貫通孔４８ａａと基板側貫通孔４７ｄとに純正バンド（所定のバンド）６０を挿通することにより、ケースカバー４８を基板カバー４７に係合させることができるようになっている。これによれば、ケースカバー４８を基板カバー４７により確実に取り付けることができ、演出制御基板（制御基板）４５に搭載されたＲＯＭカートリッジ４６の保護をより確実に行うことができる。
【００７５】
また、本発明によれば、純正バンド６０を取り外すと、ケースカバー４８と基板カバー４７との係合が解除されるため、当該ケースカバー４８を回動させることで、ＲＯＭカートリッジ４６を開放することができるようになっている。すなわち、ケースカバー４８に覆われたＲＯＭカートリッジ４６の開放は、上記純正バンド６０を取り外すことで行うことができるので、演出制御基板４５を覆う基板カバー４７をわざわざ取り外すことなくＲＯＭカートリッジ４６を交換することができ、演出制御基板４５に搭載されたＲＯＭカートリッジ４６の交換を効率的且つ容易に行うことが可能となる。
【００７６】
さらに、本実施の形態によれば、ケースカバー４８は、軸支された側を下向きにして鉛直方向に基板カバー４７に取り付けられているので、基板カバー４７に係合する側は必然的に上方に位置するようになる。この場合、基板カバー４７とケースカバー４８との係合を解いたとき、ケースカバー４８は、自重によって自動的に回動してＲＯＭカートリッジ４６を開放する。これによれば、演出制御基板４５に搭載されたＲＯＭカートリッジ４６の交換がより容易となる。また、基板カバー４７とケースカバー４８との係合が解かれているときには、ケースカバー４８は、上記自重によりＲＯＭカートリッジ４６を開放したままとなるので、ケースカバー４８と基板カバー４７との係合がなされていないにも関わらず、既に係合がなされているものと勘違いしてしまう虞がない。これにより、メンテナンス時等にケースカバー４８を閉め忘れてしまうことを防止することが可能となる。
【００７７】
また、本実施の形態によれば、ケースカバー４８の環状突起部４８ｃを、開口部４７ｂの内周壁４７ｈに当接させることができるので、ケースカバー４８の基板カバー４７への取り付けをより確実に行うことが可能となる。これにより、演出制御基板４５に搭載されたＲＯＭカートリッジ４６の保護をより確実に行うことができる。
【００７８】
さらに、本実施の形態によれば、ケースカバー４８は、開口部４７ｂの外周縁４７ｇに当接するフランジ部４８ｄにより、当該開口部４７ｂ方向への移動が規制されるようになっている。これにより、ケースカバー４８が基板カバー４７の開口部４７ｂに嵌って取り難くなってしまうことを防ぐことができ、演出制御基板４５に搭載されたＲＯＭカートリッジ４６の交換を円滑に行うことが可能となる。
【００７９】
また、本実施の形態によれば、ケース側貫通孔４８ａａと基板側貫通孔４７ｄとに純正バンド６０の端部を挿通した後に、当該端部を、純正バンド６０の一方端に形成された挿通孔６１に挿通させることにより、ケースカバー４８を基板カバー４７に係合させることができるようになっている。
【００８０】
また、純正バンド６０には、挿通方向（矢印Ｙ方向）への移動を許容する一方でその反対方向への移動を阻止する複数の係止突起６０ａが所定の長さにわたって形成されているため、挿通孔６１に挿通された端部は、挿通方向とは反対方向への移動が阻止される。そのため、一度上記係合を行うと、純正バンド６０を切断しない限りは解除することができない。これによれば、ケースカバー４８の係合が不正の目的で解除された場合等には、純正バンド６０の切断面が痕跡として残るため、不正を発見することが容易となり、不正の防止を図ることが可能となる。
【００８１】
（実施の形態２）
【００８２】
本発明に係る遊技機としては、パチスロ機（スロットマシン）が適用されている。このように、本発明に係る遊技機は実施の形態１のパチンコ機に限定されるものではない。
【００８３】
以下において、本実施の形態の遊技機について説明する。なお、ここでは、上述の実施の形態１の遊技機との相違点についてのみ説明する。
【００８４】
図１３は、本実施の形態に係る遊技機７０を示す外観斜視図である。同図に示すように、遊技機７０は、所定の図柄が付された複数のリール等が収容された筐体７１と、筐体７１の前面に回動可能に取り付けられた扉体７２と、遊技に係る所定の演出画像（いわゆる予告画像等）が表示される液晶表示部７３とを具備する。
【００８５】
次に、図１４を用いて扉体７２の背面側の構成について説明する。
【００８６】
図１４に示すように、扉体７２の背面側には、最上部に、各遊技状態に応じて点滅パターンを表示する遊技状態表示基盤（電子部品）８０が設置されている。
【００８７】
扉体７２の背面中央には、液晶表示部７３が設けられている。なお、その上部には、筐体７１に設置されたリールが視認されるリール窓８６が設けられている。
【００８８】
液晶表示部７３の下方には、投入されたメダルがメダル受皿７４（図１３）に返却されるときに通る通路である遊技メダルキャンセルシュート８２が取り付けられている。
【００８９】
また、遊技メダルキャンセルシュート８２の右側には、遊技メダルキャンセルシュート８２を回避するようにして、ＲＯＭカートリッジが搭載されたサブ制御基板（図示せず）が配置されている。
【００９０】
ここで、本実施の形態のサブ制御基板においても、実施の形態１の演出制御基板４５と同じような構成がとられている。すなわち、サブ制御基板に搭載されたＲＯＭカートリッジを覆うケースカバー８５は、実施の形態１におけるケースカバー４８と同様の構成であり、ケースカバー８５を形成し、サブ制御基板を覆う基板カバー８４は、同じく実施の形態１における基板カバー４７と同様の構成となっている。
【００９１】
もちろん、本実施の形態においてもケースカバー８５を形成する基板カバー８４は、実施の形態１と同様に、サブ制御基板を覆うものに限定されない。
【００９２】
このように、本実施の形態に示す通り、本発明を、本実施の形態に係る遊技機７０（パチスロ機）に適用することができる。
【００９３】
また、実施の形態１および２のケースカバー４８，８５が、たとえばポリカーボネートなどの透明性を有する部材で構成されることにより、当該ケースカバー４８，８５に覆われたＲＯＭカートリッジ４６などが視認可能になっていてもよい。
【００９４】
但し、上記ケースカバー４８，８５は、透明性を有してさえいれば、ポリカーボネート以外の部材であってもよいし、スモークがかかったような半透明の部材でもよい。また、ケースカバー４８，８５の一部のみが透明性を有する部材で構成されていてもよい。
【００９５】
これにより、ケースカバー４８，８５を取り外さずともＲＯＭカートリッジ４６等を視認することができるため、点検が容易になるとともに、ゴト行為等の不正行為等を発見しやすくなる。
【産業上の利用可能性】
【００９６】
以上の説明においては、本発明をパチンコ遊技機本体もしくはパチスロ遊技機本体が遊技台に取り付けられた遊技機に適用した場合が説明されているが、本発明はこれに限定されるものではなく、雀球、スマートボールあるいはゲームセンターに設置された各種ゲーム機など、種々の遊技機に適用することが可能である。
【図面の簡単な説明】
【００９７】
【図１】実施の形態１に係る遊技機を示す斜視図である。
【図２】図１の遊技機の本体枠の背面側を示す説明図である。
【図３】実施の形態１に係る制御基板ケースの分解斜視図である。
【図４】図３の制御基板ケースにＲＯＭカートリッジが取り付けられた状態を示す説明図である。
【図５】ＲＯＭカートリッジがケースカバーに覆われた状態を示す説明図である。
【図６】ＲＯＭカートリッジがケースカバーに覆われた状態を示す斜視図である。
【図７】図６に係る制御基板ケースをＡ方向から見た側面図である。
【図８】実施の形態１に係る純正バンドの斜視図である。
【図９】図８（ｂ）の挿通孔のＶ−Ｖ線に沿った断面図である。
【図１０】実施の形態１に係るケースカバーを示す斜視図である。
【図１１】実施の形態１に係るケースカバーの裏面を示す斜視図である。
【図１２】図６に係る制御基板ケースをＣ方向から見た断面図である。
【図１３】実施の形態２に係る遊技機の外観斜視図である。
【図１４】図１３のパチスロ機における扉体の背面側を示す正面図である。
【符号の説明】
【００９８】
１  パチンコ遊技機（遊技機）
２ａ  遊技盤
３  遊技機本体
３ａ  本体枠
３ｂ  ベース枠
４  ガラス扉
５  皿ユニット
５ａ  上皿
５ｂ  下皿
６  レール
７  発射ハンドル
８ａ，８ｂ  スピーカ
１０  シャッタレバー
４０  液晶ユニット
４４  基板シート
４５  演出制御基板（制御基板）
４５ａ  演出制御基板の表面部
４６  ＲＯＭカートリッジ（ケース体）
４７  基板カバー
４７ａ  表面部
４７ｂ  開口部
４７ｃ  突起
４７ｄ  基板側貫通孔
４７ｅ  軸受け部
４７ｇ  外周縁
４７ｈ  内周壁
４８，８５  ケースカバー
４８ａ  突出板
４８ａａ  ケース側貫通孔
４８ｃ  環状突起部
４８ｄ  フランジ部
４８ｅ  軸部
４８ｆ  規制部
４８ｇ  内部空間
５０  制御基板ケース
６０  純正バンド（封止部材）
６０ａ  係止突起
６１  挿通孔
６２  係止爪
６２ａ  案内斜面
６２ｂ  垂直面
７０  遊技機
７１  筐体
７２  扉体
７３  液晶表示部
７４  メダル受皿
８０  遊技状態表示基盤（電子部品）
８２  遊技メダルキャンセルシュート
８６  リール窓
１００  主制御基板
１５０  電源基板
１７０  払出制御基板
４００  貯留タンク
Ｙ  矢印
【図１】
0004658830.tif 000002
【図２】
0004658830.tif 000003
【図３】
0004658830.tif 000004
【図４】
0004658830.tif 000005
【図５】
0004658830.tif 000006
【図６】
0004658830.tif 000007
【図７】
0004658830.tif 000008
【図８】
0004658830.tif 000009
【図９】
0004658830.tif 000010
【図１０】
0004658830.tif 000011
【図１１】
0004658830.tif 000012
【図１２】
0004658830.tif 000013
【図１３】
0004658830.tif 000014
【図１４】
0004658830.tif 000015